(57)【特許請求の範囲】
【請求項１】
音声を変調して無線送信するワイヤレスマイクロホンと音声を復調してスピーカ側へ出力する受信装置とを有し、他の受信装置と対応する他のワイヤレスマイクロホンのチャンネルと同一又は重複するチャンネルを使用可能な音声通信システムであって、
前記ワイヤレスマイクロホンは、
前記復調により得た信号を前記スピーカ側へ出力するための識別パターンを要求する信号を送信する要求信号送信部と、
前記識別パターンを前記受信装置から受信する受信手段と、
前記受信手段で受信した前記識別パターンを記憶する記憶手段と、
音声信号を収集するマイクロホンカプセルと、
前記マイクロホンカプセルが収集した音声信号に前記記憶手段に記憶された識別パターンを付加する付加手段と、
前記識別パターンが付加された前記音声信号を電波に変換して前記受信装置に送信する送信手段と、
を備え、
前記受信装置は、
前記識別パターンを記憶する記憶手段と、
前記記憶手段に記憶した識別パターンと同一の識別パターンを前記ワイヤレスマイクロホンに送信する送信手段と、
前記ワイヤレスマイクロホンからの電波を受信する受信手段と、
前記受信手段で受信した電波を変換して得た電気信号から前記ワイヤレスマイクロホンの前記付加手段により付加された識別パターンを抽出する抽出手段と、
前記抽出手段が抽出した識別パターンと前記記憶手段に記憶されている識別パターンとを照合する照合手段と、
前記照合手段による照合が一致を示す場合に限り、前記電気信号の復調信号を前記スピーカ側へ出力するゲート手段と、
を備えること、
を特徴とする音声通信システム。
【請求項２】
前記ワイヤレスマイクロホンの受信手段と前記受信装置の送信手段は、光信号を送受信すること、
を特徴とする請求項１記載の音声通信システム。
【請求項３】
前記ワイヤレスマイクロホンと前記受信装置は、前記ワイヤレスマイクロホンがオフからオンに切り換えられると、前記識別パターンの送受信及び記憶を行うこと、
を特徴とする請求項１又は２記載の音声通信システム。
【請求項４】
他のワイヤレスマイクロホンのチャンネルと同一又は重複するチャンネルを使用可能であり、識別パターンの照合結果が一致の場合に限り音声の復調信号をスピーカ側に出力する受信装置と無線接続されるワイヤレスマイクロホンであって、
前記復調信号を前記スピーカ側へ出力するための識別パターンを要求するための信号を前記受信装置に送信する要求信号送信部と、
前記受信装置から前記識別パターンを受信する受信手段と、
前記受信手段で受信した前記識別パターンを記憶する記憶手段と、
音声信号を収集するマイクロホンカプセルと、
前記マイクロホンカプセルが収集した音声信号に前記記憶手段に記憶された識別パターンを付加する付加手段と、
前記識別パターンが付加された前記音声信号を電波に変換して前記受信装置に送信する送信手段と、
を備えること、
を特徴とするワイヤレスマイクロホン。
【請求項５】
前記受信手段は、光信号を受信すること、
を特徴とする請求項４記載のワイヤレスマイクロホン。
【請求項６】
前記ワイヤレスマイクロホンがオフからオンへ切り換えられると、前記受信装置に対して識別パターンの送信を要求すること、
を特徴とする請求項４又は５記載のワイヤレスマイクロホン。
【発明の詳細な説明】
【技術分野】
【０００１】
本発明は、マイクロホンによって収集された音声を無線送信するワイヤレスマイクロホンと、マイクロホンによって収集された音声を無線で送受信する音声通信システムに関する。
【背景技術】
【０００２】
ワイヤレスマイクロホンは、大学を始め各種学校の教室の講義等で、広く使用されている。ワイヤレスマイクロホンを用いる通信システムの一例として、教室毎に受信装置を設けると共に、教室毎にワイヤレスマイクロホンを割り当てたシステムがある。
【０００３】
すなわち、この通信システムでは、受信装置とワイヤレスマイクロホンとを１対１に対応付けて使用する。また、タイピン型のマイクロホンのコードコネクタを送信装置の装着部に装着し、送信装置とタイピン型のマイクロホンとを併せてワイヤレスマイクロホンとして使用するものがある。
【０００４】
この場合の通信システムでは、教室毎に受信装置を設けると共に、この受信装置に対応させるワイヤレスマイクロホンとの間で一つのチャンネルを設定し、そのチャンネルの周波数帯域を用いて音声を送受信していた（例えば、特許文献１参照。）。
【先行技術文献】
【特許文献】
【０００５】
【特許文献１】特許第４１２１６８１号公報
【発明の概要】
【発明が解決しようとする課題】
【０００６】
通常、通信システムが設定できるチャンネルは複数あるため、複数の通信システムが互いに電波が届く範囲に設置されていたとしても、その範囲において設定チャンネルが重複してしまうことは少なかった。
【０００７】
しかしながら、近年は少子化や学問の多様化等の影響を受け、学校では多くの小さな教室が小領域に密集している場合も多くなってきた。そうすると、互いに電波が届く範囲にある複数の通信システムが同一のチャンネル又は周波数帯域が重なり合うチャンネルを設定してしまい混信が発生する虞も予想される。
【０００８】
本発明は、上記のような従来技術の問題点を解決するために提案されたもので、独立した通信システムが複数配置されたとしても混信を防ぐことのできる音声通信システム及びワイヤレスマイクロホンを提供することを目的とする。
【課題を解決するための手段】
【０００９】
本発明に係る通信システムは、音声を変調して無線送信するワイヤレスマイクロホンと音声を復調してスピーカ側へ出力する受信装置とを有し、他の受信装置と対応する他のワイヤレスマイクロホンのチャンネルと同一又は重複するチャンネルを使用可能な音声通信システムであって、前記ワイヤレスマイクロホンは、前記復調により得た信号を前記スピーカ側へ出力するための識別パターンを要求するための信号を送信する要求信号送信部と、前記識別パターンを前記受信装置から受信する受信手段と、前記受信手段で受信した前記識別パターンを記憶する記憶手段と、音声信号を収集するマイクロホンカプセルと、前記マイクロホンカプセルが収集した音声信号に前記記憶手段に記憶された識別パターンを付加する付加手段と、前記識別パターンが付加された前記音声信号を電波に変換して前記受信装置に送信する送信手段と、を備え、前記受信装置は、前記識別パターンを記憶する記憶手段と、前記記憶手段に記憶した識別パターンと同一の識別パターンを前記ワイヤレスマイクロホンに送信する送信手段と、前記ワイヤレスマイクロホンからの電波を受信する受信手段と、前記受信手段で受信した電波を変換して得た電気信号から前記ワイヤレスマイクロホンの前記付加手段により付加された識別パターンを抽出する抽出手段と、前記抽出手段が抽出した識別パターンと前記記憶手段に記憶されている識別パターンとを照合する照合手段と、前記照合手段による照合が一致を示す場合に限り、前記電気信号の復調信号を前記スピーカ側へ出力するゲート手段と、を備えること、を特徴とする。
【００１０】
前記ワイヤレスマイクロホンの受信手段と前記受信装置の送信手段は、光信号を送受信するようにしてもよい。
【００１１】
前記ワイヤレスマイクロホンと前記受信装置は、前記ワイヤレスマイクロホンがオフからオンに切り換えられると、前記識別パターンの送受信及び記憶を行うようにしてもよい。
【００１２】
また、本発明に係るワイヤレスマイクロホンは、他のワイヤレスマイクロホンのチャンネルと同一又は重複するチャンネルを使用可能であり、識別パターンの照合結果が一致の場合に限り音声の復調信号をスピーカ側に出力する受信装置と無線接続されるワイヤレスマイクロホンであって、前記復調信号を前記スピーカ側へ出力するための識別パターンを要求するための信号を前記受信装置に送信する要求信号送信部と、前記受信装置から識別パターンを受信する受信手段と、前記受信手段で受信した前記識別パターンを記憶する記憶手段と、音声信号を収集するマイクロホンカプセルと、前記マイクロホンカプセルが収集した音声信号に前記記憶手段に記憶された識別パターンを付加する付加手段と、前記識別パターンが付加された前記音声信号を電波に変換して前記受信装置に送信する送信手段と、を備えること、を特徴とする。
【００１３】
前記受信手段は、光信号を受信するようにしてもよい。
【００１４】
前記ワイヤレスマイクロホンがオフからオンへ切り換えられると、前記受信装置に対して識別パターンの送信を要求するようにしてもよい。
【発明の効果】
【００１５】
本発明によれば、同一の識別パターンを有するワイヤレスマイクロホンから送信されてきた音声以外はスピーカへ出力されない。そのため、近くに複数の通信システムが設置されており、それらが同一のチャンネル又は帯域が重なるチャンネルを使用してしまったとしても混信を防止することができる。
【図面の簡単な説明】
【００１６】
【図１】ワイヤレスマイクロホン１０の内部構成を示すブロック図である。
【図２】受信装置５０の内部構成を示すブロック図である。
【図３】チャンネル及び識別パターンの設定動作を示すフローチャートである。
【図４】音声送受信動作を示すフローチャートである。
【発明を実施するための形態】
【００１７】
以下、本発明に係るワイヤレスマイクロホンと、このワイヤレスマイクロホンを一構成要素とする音声通信システムの実施形態について図面を参照しつつ詳細に説明する。
【００１８】
（全体構成）
図１及び２は、ワイヤレスマイクロホン１０と受信装置５０とを備えた通信システム８０の構成を示すブロック図であり、図１はワイヤレスマイクロホン１０の内部構成を示し、図２は受信装置５０の内部構成を示している。
【００１９】
ワイヤレスマイクロホン１０は、音声信号を収集して変調し、変調した信号を電波ＥＢに変換して送信する。受信装置５０は、電波ＥＢを受信して電気信号に変換し、その電気信号を音声に復調してアンプ６０を介してスピーカ７０に出力する。
【００２０】
このワイヤレスマイクロホン１０と受信装置５０は、使用するチャンネルを赤外線ＵＢｉ及びＵＢｏを通じて共有しておき、そのチャンネルで電波ＥＢを送受信する。また、ワイヤレスマイクロホン１０と受信装置５０は、識別パターンＩＰを赤外線ＵＢｉ及びＵＢｏを通じて共有しておき、ワイヤレスマイクロホン１０が送信した識別パターンＩＰと受信装置５０が記憶する識別パターンＩＰとが一致する場合に限りスピーカ７０に音声出力させる。この識別パターンＩＰは、数字や文字や記号といったキャラクタの文字列である。
【００２１】
（ワイヤレスマイクロホン）
すなわち、図１に示すワイヤレスマイクロホン１０は、音声信号Ｓ１又はＳ３を収集する構成、チャンネルと識別パターンＩＰを共有する構成、及び音声信号Ｓ１又はＳ３に識別パターンＩＰを付加し、指定されたチャンネルの電波ＥＢに変換する構成を有する。
【００２２】
音声収集構成としては、ワイヤレスマイクロホン１０は、マイクロホンカプセル１１とコード付きマイクロホン３０を着脱可能に取り付ける装着部１２と切換部１３とを備えている。
【００２３】
マイクロホンカプセル１１は、入力された音声信号Ｓ１を電気音響変換して電気信号からなる音声信号Ｓ１１を生成する。装着部１２は、コード付きマイクロホン３０が装着されるコネクタである。
【００２４】
コード付きマイクロホン３０は、マイクロホンカプセル３１とコードコネクタ３３とこれらを電気的に接続するコード３２を備える。マイクロホンカプセル３１は、入力された音声信号Ｓ３を電気音響変換して電気信号からなる音声信号Ｓ３３を生成する。この音声信号Ｓ３３は、コード３２及びコードコネクタ３３を介して装着部１２に供給される。例えば、コードコネクタ３３がプラグであり、装着部１２が当該プラグの差込み口となるジャックである。
【００２５】
切換部１３は、マイクロホンカプセル１１からの音声信号Ｓ１１又は装着部１２からの音声信号Ｓ３３が入力可能となっており、電波ＥＢに変換する音声信号を選択する。装着部１２にコードコネクタ３３が装着されてない場合は、切換部１３は、音声信号Ｓ１１を切換出力信号Ｓ１３として出力する。一方、装着部１２にコードコネクタ３３が装着されている場合は、切換部１３は、音声信号Ｓ３３を切換出力信号Ｓ１３として出力する。
【００２６】
切換出力信号Ｓ１３を電波ＥＢへ変換する構成としては、ワイヤレスマイクロホン１０は、送信制御部２６と変調部１４とパターン付加部１６と送信部１５と送信アンテナ１９とを備える。
【００２７】
送信制御部２６は、ワイヤレスマイクロホン１０の送信処理を制御するコントローラであり、例えばマイクロコンピュータにより構成されている。この送信制御部２６は、変調部１４とパターン付加部１６と送信部１５を制御する。変調部１４に対しては、受信装置５０により指定されたチャンネルに対応する搬送波周波数を指定する周波数指定信号を出力する。また、パターン付加部１６に対しては、受信装置５０に指定された識別パターンＩＰを出力する。周波数指定信号を示す情報及び識別パターンＩＰは、メモリ２６ａに記憶されている。
【００２８】
変調部１４は、切換部１３により供給された切換出力信号Ｓ１３を変調して被変調信号Ｓ１４を生成し、この被変調信号Ｓ１４をパターン付加部１６に供給する。変調処理では、所定の搬送波を周波数変調することにより、切換出力信号Ｓ１３を搬送波に重畳して被変調信号Ｓ１４を生成する。所定の搬送波は、送信制御部２６から入力された周波数指定信号が表す周波数を有する。周波数変調は、例えばＦＭ変調である。
【００２９】
パターン付加部１６は、送信制御部２６から入力された識別パターンＩＰを被変調信号Ｓ１４に付加することで被送信信号Ｓ１６を生成し、その被送信信号Ｓ１６を送信部１５に供給する。
【００３０】
送信部１５には、パターン付加部１６から被送信信号Ｓ１６が供給され、その被送信信号Ｓ１６を増幅して送信アンテナ１９に出力する。送信アンテナ１９は、送信部１５からの被送信信号Ｓ１６を電気信号から電波ＥＢに変換してワイヤレスマイクロホン１０の外部へ出力する。
【００３１】
チャンネルと識別パターンＩＰを共有する構成としては、ワイヤレスマイクロホン１０は、操作スイッチ２０、設定制御部２７、駆動部２２、発光部２３、受光部２４、及び検出部２５を備える。
【００３２】
操作スイッチ２０は、そのオン状態／オフ状態により、ワイヤレスマイクロホン１０の電源入（オン）／電源切（オフ）を切り換えるスイッチであり、この操作スイッチ２０の状態は設定制御部２７に供給される。
【００３３】
設定制御部２７は、ワイヤレスマイクロホン１０の送信処理を制御するコントローラであり、例えばマイクロコンピュータにより構成されている。この設定制御部２７は、操作スイッチ２０がオフ状態からオン状態に切り替わったときに、チャンネル設定信号と識別パターンＩＰとを要求する要求信号と発光指令信号とを生成して駆動部２２に出力する。
【００３４】
駆動部２２は、発光指令信号及び要求信号を受けて発光部２３に電力を供給することで駆動させる。発光部２３は、駆動部２２からの電力供給を受けて、赤外線ＵＢｏを発光し、要求信号を受信装置５０に向けて送信する。この要求信号は、チャンネルと識別パターンＩＰを要求するために出力される信号である。
【００３５】
受光部２４は、後述する受信装置５０が出力した赤外線ＵＢｉを受光して受光信号を検出部２５に供給する。赤外線ＵＢｉには、使用するチャンネルを示すチャンネル設定信号と識別パターンＩＰが含まれている。検出部２５は、受光部２４が受けた受光信号からチャンネル設定信号と識別パターンＩＰを検出して設定制御部２７に供給する。設定制御部２７は、送信制御部２６が備えるメモリ２６ａにチャンネル設定信号と識別パターンＩＰを記憶させておく。
【００３６】
（受信装置）
図２に示す受信装置５０は、チャンネル及び識別パターンＩＰをワイヤレスマイクロホン１０と共有する構成、音声信号Ｓ１又はＳ３の電気信号である切換出力信号Ｓ１３を生成してアンプ６０へ出力する構成、及び切換出力信号Ｓ１３の生成を制御する構成を備える。
【００３７】
チャンネル及び識別パターンＩＰを共有する構成としては、制御部５５、受光部５８、検出部５９、駆動部５６、及び発光部５７を備える。
【００３８】
受光部５８は、ワイヤレスマイクロホン１０からの赤外線ＵＢｏを受光して受光信号を検出部５９に出力する。検出部５９は、受光信号から要求信号を検出して制御部５５に出力する。
【００３９】
制御部５５は、受信装置５０の全体を制御するコントローラであり、例えばマイクロコンピュータである。この制御部５５は、チャンネル及び識別パターンＩＰを共有する構成として、パターン生成部５５ａとメモリ５５ｂを備えている。
【００４０】
パターン生成部５５ａは、検出部５９から要求信号を受け取ると、チャンネル設定信号、識別パターンＩＰ、及び発光制御信号を生成する。生成した識別パターンＩＰはメモリ５５ｂに記憶される。また、チャンネル設定信号、識別パターンＩＰ、及び発光制御信号は、駆動部５６に出力される。尚、識別パターンＩＰは、要求信号を受け取った時点で生成してもよいし、予め用意しておいてもよい。
【００４１】
駆動部５６は、発光制御信号を受けて、発光部５７に電力を供給することで駆動させる。発光部５７は、駆動部５６からの電力供給を受けて、赤外線ＵＢｉを発光し、チャンネル設定信号及び識別パターンＩＰをワイヤレスマイクロホン１０に向けて送信する。
【００４２】
切換出力信号Ｓ１３の出力構成としては、受信装置５０は、第１の受信アンテナ５１ａと第２の受信アンテナ５１ｂと受信部５３と復調部５４とを備える。
【００４３】
第１の受信アンテナ５１ａは、ワイヤレスマイクロホン１０のアンテナ１９からの電波ＥＢを受信して受信信号Ｓ５１ａを受信部５３に供給する。また、第２の受信アンテナ５１ｂは、ワイヤレスマイクロホン１０からの電波ＥＢを受信して受信信号Ｓ５１ｂを受信部５３に供給する。
【００４４】
受信部５３は、受信信号Ｓ５１ａ又はＳ５１ｂから被送信信号Ｓ１６を検出し、検出した被送信信号Ｓ１６を、後述する抽出部５２を介して復調部５４に供給する。この受信部５３は、ダイバーシチ受信方式を用いており、伝送品質が向上するように、受信信号Ｓ５１ａとＳ５１ｂを切り替えて使用する。
【００４５】
復調部５４は、受信部５３から出力された被送信信号Ｓ１６を復調して切換出力信号Ｓ１３を再現する。この復調部５４は、ゲート５４ａを備えている。ゲート５４ａは、制御部５５から通過信号ＣＳが入力された場合に限り、切換出力信号Ｓ１３をアンプ６０に出力し、通過信号ＣＳが入力されなければ切換出力信号Ｓ１３は破棄される。
【００４６】
切換出力信号Ｓ１３の生成を制御する構成は、抽出部５２と制御部５５の照合部５５ｃ及びメモリ５５ｂである。
【００４７】
抽出部５２は、受信部５３が出力した被送信信号Ｓ１６から識別パターンＩＰを抽出し、照合部５５ｃへ出力する。照合部５５ｃは、抽出部５２から得た識別パターンＩＰとメモリ５ｂ内の識別パターンＩＰとを照合し、一致していればゲート５４ａに通過信号ＣＳを入力する。
【００４８】
（設定動作）
図３は、この通信システム８０のチャンネル及び識別パターンＩＰの設定動作を示すフローチャートである。まず、この通信システム８０は、例えば、大学の講師が講義に使用するもので、受信装置５０は各教室に設置され、ワイヤレスマイクロホン１０は講師が持参する。
【００４９】
ワイヤレスマイクロホン１０側において、講師が操作スイッチ２０をオフ状態からオン状態に変更する（ステップ０１）。そうすると、操作スイッチ２０からオン状態を示す信号が設定制御部２７に供給される。
【００５０】
オン状態に変更されると、ワイヤレスマイクロホン１０からは要求信号を載せた赤外線ＵＢｏが出射される（ステップ０２）。具体的には、オン状態を示す信号が設定制御部２７に入力されると、設定制御部２７は、駆動部２２に要求信号と発光指令信号を出力する。駆動部２２は、発光部２３を発光させ、発光部２３に要求信号を載せた赤外線ＵＢｏを出射させる。
【００５１】
受信装置５０側では、受光部５８が赤外線ＵＢｏを受光する（ステップ０３）。受光部５８は赤外線ＵＢｏを受光して受光信号を検出部５９に出力し、検出部５９は、受光信号から要求信号を検出して制御部５５に出力する。
【００５２】
制御部５５では、要求信号の入力を契機に、パターン生成部５５ａが識別パターンＩＰを生成し（ステップ０４）、この識別パターンＩＰをメモリ５５ｂに記憶させる（ステップ０５）。また、発光部５７は、生成された識別パターンＩＰを赤外線ＵＢｉに載せてワイヤレスマイクロホン１０側に送信する（ステップ０６）。赤外線ＵＢｉの送信においては、制御部５５は、発光制御信号を駆動部５６に出力することで、発光部５７を発光させ、発光の際に出力される赤外線ＵＢｉにチャンネル設定信号と識別パターンＩＰを載せる。
【００５３】
そして、ワイヤレスマイクロホン１０側では、受光部２４が赤外線ＵＢｉを受光する（ステップ０７）。受光部２４は赤外線ＵＢｉを受光して受光信号を検出部２５に出力し、検出部２５は、受光信号から識別パターンＩＰとチャンネル設定信号を検出して設定制御部２７に出力する。
【００５４】
設定制御部２７は、入力された識別パターンＩＰとチャンネル設定信号が示すチャンネルをメモリ２６ａに記憶する（ステップ０８）。
【００５５】
（送受信動作）
図４は、通信システム８０の音声送受信動作を示すフローチャートである。ワイヤレスマイクロホン１０側では、マイクロホンカプセル１１又はコード付きマイクロホン３０のマイクロホンカプセル３３が音声信号Ｓ１又はＳ３を収集し、電気音響変換された音声信号Ｓ１１又はＳ３３が切換部１３を経て切換出力信号Ｓ１３として変調部１４に入力される（ステップ１１）。
【００５６】
変調部１４は、メモリ２６ａに記憶されているチャンネルに対応する搬送波を周波数変調することにより、切換出力信号Ｓ１３を搬送波に重畳して被変調信号Ｓ１４を生成する（ステップ１２）。
【００５７】
パターン付加部１６は、送信制御部２６から識別パターンＩＰの入力を受けて（ステップ１３）、被変調信号Ｓ１４に識別パターンＩＰを付加した被送信信号Ｓ１６を生成する（ステップ１４）。
【００５８】
送信部１５は、被送信信号Ｓ１６を送信アンテナ１９に出力し、送信アンテナ１９は、被送信信号Ｓ１６を電波ＥＢに変換して出力する（ステップ１５）。
【００５９】
受信装置５０側では、第１の受信アンテナ５１ａと第２の受信アンテナ５１ｂが電波ＥＢを受信する（ステップ１６）。第１の受信アンテナ５１ａと第２の受信アンテナ５１ｂは、受信した電波ＥＢを電気信号である受信信号Ｓ５１ａ及びＳ５１ｂに変換し、受信部５３に供給する。受信部５３は、受信信号Ｓ５１ａとＳ５１ｂから伝送品質の高い方を選択し、被送信信号Ｓ１６として抽出部５２に出力する。
【００６０】
抽出部５２は、被送信信号Ｓ１６から識別パターンＩＰを抽出する（ステップ１７）。抽出された識別パターンＩＰは制御部５５に入力される。制御部５５では、照合部５５ｃがメモリ５５ｂから識別パターンＩＰを読み出し（ステップ１８）、抽出された識別パターンＩＰとメモリ５５ｂ内の識別パターンＩＰとを照合する（ステップ１９）。
【００６１】
一方、復調部５４は、被送信信号Ｓ１６に含まれている被変調信号Ｓ１４を復調していく（ステップ２０）。そして、照合部５５ｃによる照合の結果、識別パターンＩＰが一致すると（ステップ２１，Ｙｅｓ）、照合部５５ｃがゲート５４ａに対して通過信号ＣＳを入力することで、復調部５４による復調の結果得られた切換出力信号Ｓ１３をアンプ６０へ出力する（ステップ２２）。照合の結果、識別パターンＩＰが不一致であると（ステップ２１，Ｎｏ）、照合部５５ｃは通過信号ＣＳを入力せず、復調の結果得られた切換出力信号Ｓ１３を破棄する（ステップ２３）。
【００６２】
（効果）
以上のように、本実施形態に係る通信システム８０において、ワイヤレスマイクロホン１０は、受信手段の一態様である受光部２４と、記憶手段となるメモリ２６ａと、マイクロホンカプセル１１と、パターン付加部１６と、送信手段である送信部１５及び送信アンテナ１９とを備えるようにした。
【００６３】
受光部２４は、受信装置５０と共通の識別パターンＩＰを受信装置５０から受信する。メモリ２６ａは、受光部２４で受信した識別パターンＩＰを記憶する。マイクロホンカプセル１１は、音声信号を収集する。パターン付加部１６は、マイクロホンカプセル１１が収集した音声信号にメモリ２６ａに記憶された識別パターンＩＰを付加する。送信部１５及び送信アンテナ１９は、識別パターンＩＰが付加された音声信号を電波に変換して受信装置５０に送信する。
【００６４】
また、受信装置５０は、記憶手段であるメモリ５５ｂと、送信手段である発光部５７と、受信手段である第１の受信アンテナ５１ａ、第２の受信アンテナ５１ｂ、及び受信部５３と、抽出部５２と、照合部５５ｃと、ゲート５４ａとを備えるようにした。
【００６５】
発光部５７は、メモリ５５ｂに記憶した識別パターンＩＰと同一の識別パターンＩＰをワイヤレスマイクロホン１０に送信する。受信部５３等は、ワイヤレスマイクロホン１０から受信した電波ＥＢを受信する。抽出部５２は、受信した電波ＥＢが変換されて得られた電気信号からワイヤレスマイクロホン１０により付加された識別パターンＩＰを抽出する。照合部５２は、抽出した識別パターンＩＰとメモリ５５ｂに記憶されている識別パターンＩＰとを照合する。ゲート５４ａは、照合が一致を示す場合に限り、電気信号を復調して前記スピーカ側へ出力する。
【００６６】
これにより、同一の識別パターンＩＰを有するワイヤレスマイクロホン１０から送信されてきた音声以外はスピーカ７０へ出力されない。すなわち、近くの教室に設置されている他の受信装置５０と対応のワイヤレスマイクロホン１０が同一のチャンネル又は帯域が重なるチャンネルを使用して電波ＥＢを送受信し、その電波ＥＢを受信してしまったとしても、識別パターンＩＰが付加されていなかったり、異なる識別パターンＩＰが付加されていれば、その電波ＥＢによって搬送されている音声を出力することはない。そのため、近くの教室に設置されている複数の通信システム８０が同一のチャンネル又は帯域が重なるチャンネルを使用してしまったとしても混信を防止することができる。
【００６７】
また、識別パターンＩＰを受信装置５０とやり取りするワイヤレスマイクロホン１０の受信手段は受光部２４であり、識別パターンＩＰをワイヤレスマイクロホン１０とやり取りする受信装置５０の送信手段は発光部５７であり、光信号により識別パターンＩＰをやり取りするようにした。
【００６８】
これにより、識別パターンＩＰを共有化するための通信が壁を透過し、他の教室に設置されている通信システム８０に至ることはなく、他の通信システム８０のワイヤレスマイクロホン１０や受信装置５０が予期せず同一の識別パターンＩＰを保持してしまうおそれを低減できる。
【００６９】
また、ワイヤレスマイクロホン１０と受信装置５０は、ワイヤレスマイクロホン１０をオフからオンへ切り換えたときを契機に識別パターンＩＰの設定を行うようにした。これにより、識別パターンＩＰを設定するタイミングが重なってしまう可能性を低減でき、他の通信システム８０のワイヤレスマイクロホン１０や受信装置５０が予期せず同一の識別パターンＩＰを保持してしまうおそれを更に低減できる。
【００７０】
更に、本実施形態における、識別パターンＩＰを受信装置５０側で生成してワイヤレスマイクロホン１０に渡す態様によれば、ワイヤレスマイクロホン１０と受信装置５０との対応関係が固定化することはなく、それぞれを個別に購入して如何様にも組み合わせて使用することが可能となる。尚、ワイヤレスマイクロホン１０側で識別パターンＩＰを生成してワイヤレスマイクロホン１０に渡すようにしても同様の効果を得ることができる。
【００７１】
（他の実施形態）
以上のように本発明の実施形態を説明したが、発明の要旨を逸脱しない範囲で、種々の省略、置き換え、変更を行うことができる。そして、この実施形態やその変形は、発明の範囲や要旨に含まれるとともに、特許請求の範囲に記載された発明とその均等の範囲に含まれる。
【００７２】
例えば、ワイヤレスマイクロホン１０と受信装置５０は、ワイヤレスマイクロホン１０がオフからオンに切り換えられると、識別パターンＩＰの送受信及び記憶を行うようにした。そして、当該オフからオンへの切り換えとは、操作スイッチ２０によるワイヤレスマイクロホン１０の電源入（オン）／電源切（オフ）の切り換えを例示した。本発明では、これに限らず、ワイヤレスマイクロホン１０をスリープ状態（オフ）から起動状態（オン）に切り換えることを契機として、識別パターンＩＰの送受信及び記憶を行うようにしてもよい。
【００７３】
また、識別パターンＩＰの送受信は、教室の壁を透過しなければ何れの送信波を用いてもよく、赤外線ＵＢｉやＵＢｏに限らず、それ以外の光信号を用いてもよい。
【００７４】
また、識別パターンＩＰの照合と切換出力信号Ｓ１３の復調とを並行して行い、照合結果に応じてゲート５４ａを通過又は非通過にするようにしたが、先に識別パターンＩＰの照合を行い、照合の結果が一致であれば、切換出力信号Ｓ１３を復調を実施してアンプ６０へ出力するようにしてもよい。
【００７５】
また、本通信システム８０は、学校の教室に配備されることを前提に説明したが、当該状況に限らずあらゆる場面で使用可能である。
【符号の説明】
【００７６】
１０  ワイヤレスマイクロホン
１１  マイクロホンカプセル
１２  装着部
１３  切換部
１４  変調部
１５  送信部
１６  パターン付加部
１９  送信アンテナ
２０  操作スイッチ
２２  駆動部
２３  発光部
２４  受光部
２５  検出部
２６  送信制御部
２６ａ  メモリ
２７  設定制御部
３０  コード付きマイクロホン
３１  マイクロホンカプセル
３２  コード
３３  コードコネクタ
５０  受信装置
５１ａ  第１の受信アンテナ
５１ｂ  第２の受信アンテナ
５２  抽出部
５３  受信部
５４  復調部
５４ａ  ゲート
５５  制御部
５５ａ  パターン生成部
５５ｂ  メモリ
５５ｃ  照合部
５６  駆動部
５７  発光部
５８  受光部
５９  検出部
６０  アンプ
７０  スピーカ
８０  通信システム
Ｓ１、Ｓ３、Ｓ１１、Ｓ１３、Ｓ１４、Ｓ１６  音声信号
Ｓ５１ａ、Ｓ５１ｂ  受信信号
ＩＰ  識別パターン
ＣＳ  制御信号
ＥＢ  電波
ＵＢｉ、ＵＢｏ  赤外線
【図１】
0005667121.tif 000002
【図２】
0005667121.tif 000003
【図３】
0005667121.tif 000004
【図４】
0005667121.tif 000005